【手続補正書】
【提出日】平成19年5月30日(2007.5.30)
【手続補正１】
【補正対象書類名】明細書
【補正対象項目名】特許請求の範囲
【補正方法】変更
【補正の内容】
【特許請求の範囲】
【請求項１】  複数の無線周波数マーカーから同時に情報を読む方法であって、
一次通信チャネルおよび複数の二次通信チャネルを提供するステップと、
前記複数の無線周波数マーカーの各々に対し、前記複数の無線周波数マーカーの各々が利用できる番号の部分に基づいて前記複数の二次通信チャネルの１個において応答するよう命令するステップとを含み、
前記複数の二次通信チャネルの各々は前記一次通信チャネルに関して一意である方法。
【請求項２】  前記複数の二次通信チャネルの１個において肯定応答信号を検出するステップと、前記肯定応答信号に関連付けられた無線周波数マーカーに対し前記一次通信チャネルにおいて識別信号を送信するよう命令するステップとをさらに含む、請求項１による方法。
【請求項３】  前記一次通信チャネルにおいて衝突が発生したならば、前記一次通信チャネルにおいて現在送信中であるマーカーの各々に対し、以前に使用した部分とは異なる前記利用可能な番号の部分を用いて前記二次通信チャネルの１個において肯定応答信号を送信するよう命令するステップをさらに含む、請求項２による方法。
【請求項４】  前記識別信号が正常に受信された各々の前記無線周波数マーカーを、前記複数の二次通信チャネルとは別の専用チャネルへ割り当てるステップをさらに含む、請求項３による方法。
【請求項５】  複数の埋設された送信器と通信する方法であって、
ａ）呼び掛け信号を送信し、前記呼び掛け信号を受信している前記埋設送信器のすべてに対し一次チャネルにおいて応答するよう要求するステップと、
ｂ）応答信号が正常に受信された前記埋設送信器の各々に、第一のチャネルグループ内の一意な専用チャネルを割り当てるステップと、
ｃ）応答信号が正常に受信されなかった前記埋設送信器のすべてを、第二のチャネルグループ内の第一のチャネルへ割り当てるステップと、
ｄ）現在前記第二のチャネルグループ内の前記第一のチャネルに割り当てられている前記埋設送信器のすべてに対し、前記埋設送信器の各々が利用できる番号の部分に基づいて前記第二のチャネルグループ内のチャネルの１個へ移動するよう命令するステップと、
ｅ）前記埋設送信器の各々から、前記第一および第二のグループ内のどのチャネルが占有されているかを示す肯定応答を検出するステップと、
ｆ）ステップｄ）において前記第二のチャネルグループ内のチャネルの各々に割り当てられた前記埋設送信器の１個づつに対し、前記一次チャネルにおいて信号を送信するよう命令するステップと、
ｇ）ステップｆ）において信号が正常に受信された前記埋設送信器に対し、前記第一のチャネルグループ内の一意な専用チャネルへ移動するよう命令するステップと、
ｈ）前記埋設送信器のすべてに前記第一のチャネルグループ内の一意な専用チャネルが割り当てられるまでステップｃ）〜ｇ）を繰り返すステップとを含む方法。
【請求項６】  専用チャネルへ夫々が割り当てられた前記複数の無線周波数マーカー又は前記埋設送信機の各々を単一の命令を用いてポーリングして、前記ポーリングの要求に応答して、前記専用チャネルにおいて前記複数の無線周波数マーカーの各々からデータを連続的に受信するステップをさらに含む、請求項４又は５による方法。
【請求項７】  各チャネルに、前記一次通信チャネルおよび前記複数の二次チャネル内の他のすべてのチャネルに関して一意な時間周波数空間又は一意な時間周波数符号語空間が割り当てられている、請求項１又は５による方法。
【請求項８】  単一の送信器と、他の複数の送信器と通信しようとしているリーダーユニットとの間で通信する方法であって、
ａ）呼び掛け信号を受信している任意の送信器に対し一次チャネルにおいて応答することを要求する呼び掛け信号を受信するステップと、
ｂ）ステップａ）で受信された前記呼び掛け信号に応答して応答信号を送信するステップと、
ｃ）ステップｂ）で送信された前記応答信号が正常に受信されたことを示す前記リーダーからの第二の信号に応答して、第一のチャネルグループ内の一意な専用チャネルへ移動するステップと、
ｄ）ステップｂ）で送信された前記応答信号が正常に受信されたことを示す前記リーダーからの第二の信号が受信されなかったならば、第二のチャネルグループ内の第一のチャネルへ移動するステップと、
ｅ）現在前記第二のチャネルグループ内の前記第一のチャネルに割り当てられているすべての送信器に対する命令を受信したならば、前記単一の送信器が利用できる番号の部分に基づいて前記第二のチャネルグループ内のチャネルの１個へ移動するステップと、
ｆ）前記第二のチャネルグループ内の前記１個のチャネルに割り当てられている任意の送信器への前記リーダーからの命令を受信したならば、前記一次チャネル内の信号を送信するステップと、
ｇ）ステップｆ）において前記一次チャネルにおいて送信された信号が正常に受信された旨の前記リーダーからの信号を受信したならば、前記第一のチャネルグループ内の一意な専用チャネルへ移動するステップと、
ｈ）ステップｆ）で送信された前記信号が正常に受信された旨を示す前記リーダーからの信号を受信するまで、ステップｅ）内の前記単一送信器が利用できる番号の異なる部分を用いてステップｄ）〜ｆ）を繰り返すステップとを含む、方法。
【請求項９】  リーダーユニットと複数の送信器との間で通信する方法であって、
ａ）呼び掛け信号を受信しているすべての送信器に対し一次チャネルにおいて応答することを要求する呼び掛け信号を送信するステップと、
ｂ）応答信号が正常に受信された、受信中の各送信器に対し、第一のチャネルグループ内の一意な専用チャネルにおいてさらに送信を行なうよう命令するステップと、
ｃ）他のすべての送信器に対し、前記他のすべての送信器の各々が利用できる番号の部分に基づいて第二のチャネルグループ内の１個のチャネルにおいてさらに送信を行なうよう命令するステップと、
ｄ）ステップｃ）で前記第二のチャネルグループ内の各チャネルに割り当てられたすべての送信器に対し、１度に１チャネルづつ、前記一次チャネルにおいて識別信号を送信するよう命令するステップと、
ｅ）ステップｄ）で前記識別信号が正常に受信された送信器に対し、前記第一のチャネルグループ内の一意な専用チャネルにおいてさらに送信を行なうよう命令するステップと、
ｆ）すべての送信器に、前記第一のチャネルグループ内の一意な専用チャネルが割り当てられるまで、ステップｃ）〜ｅ）を繰り返すステップとを含む、方法。
【請求項１０】  単一の送信器と、他の複数の送信器と通信しようとしているリーダーユニットとの間で通信する方法であって、
ａ）呼び掛け信号を受信している任意の送信器に対し一次チャネルにおいて応答することを要求する呼び掛け信号を受信するステップと、
ｂ）ステップａ）で受信された前記呼び掛け信号に応答して応答信号を送信するステップと、
ｃ）ステップｂ）で送信された前記応答信号が正常に受信されたことを示す前記リーダーからの第二の信号に応答して、第一のチャネルグループ内の一意な専用チャネルへ移動するステップと、
ｄ）ステップｂ）で送信された前記応答信号が正常に受信されたことを示す前記リーダーからの第二の信号が受信されなかったならば、前記単一送信器が利用できる番号の部分に基づいて第二のチャネルグループ内のチャネルの１個へ移動するステップと、
ｅ）前記第二のチャネルグループ内の前記１個のチャネルに割り当てられている任意の送信器への前記リーダーからの命令を受信したならば、前記一次チャネル内の識別信号を送信するステップと、
ｆ）ステップｅ）において送信された前記識別信号が正常に受信された旨の前記リーダーからの別の信号を受信したならば、前記第一のチャネルグループ内の一意な専用チャネルへ移動するステップと、
ｇ）ステップｅ）で送信された信号が正常に受信された旨を示す前記リーダーからの信号を受信するまで、ステップｄ）内の前記単一送信器が利用できる番号の異なる部分を用いてステップｄ）〜ｅ）を繰り返すステップとを含む、方法。
【請求項１１】  ユーティリティ・ラインにマーキングし、かつ複数の他の同様な装置と通信しようとしているリーダーユニットと通信する装置であって、
前記リーダーユニットから受信された呼び掛け信号を変調し、変調された応答信号を反射するインダクタ−コンデンサネットワークと、
前記装置に割り当てられた番号を識別番号として保存するメモリと、
前記インダクタ−コンデンサネットワークおよびメモリに接続されたプロセッサとを含み、
前記プロセッサは、
ａ）前記応答信号が正常に受信されたことを示す前記リーダーからの第二の信号に応答して、第一のチャネルグループ内の一意な専用チャネルへ移動し、
ｂ）前記応答信号が正常に受信されたことを示す前記リーダーからの第二の信号が受信されなかったならば、第二のチャネルグループ内の第一のチャネルへ移動し、
ｃ）現在前記第二のチャネルグループ内の前記第一のチャネルに割り当てられているすべての装置に対する命令を受信したならば、前記メモリに保存されている番号の部分に基づいて前記第二のチャネルグループ内のチャネルの１個へ移動し、
ｄ）前記第二のチャネルグループ内の前記１個のチャネルに割り当てられている任意の送信器への前記リーダーからの命令を受信したならば、前記一次チャネル内の信号を送信し、
ｅ）ステップｄ）において前記一次チャネルにおいて送信された信号が正常に受信された旨のリーダーからの信号を受信したならば、前記第一のチャネルグループ内の一意な専用チャネルへ移動し、
ｆ）ステップｄ）で送信された前記信号が正常に受信された旨を示す前記リーダーからの信号を受信するまで、ステップｃ）でメモリに保存された番号の異なる部分を用いてステップｂ）〜ｅ）を繰り返すようプログラムされている装置。